(57)【要約】  【課題】連動機構によって繰出リール及び巻取リールとの連動状態が維持されない状態で、両リールを支持可能にしたリール交換式の転写具を提供する。  【解決手段】リール交換式の転写具Ｔであり、転写ヘッド３２を保持してなるリールケース３と、このリールケース３に取替可能に装着される繰出リール４及び巻取リール５と、繰出リール５に巻装され転写ヘッド３２を介して巻取リール５に巻き取られる転写テープｐと、両リール４、５を連動させるための連動機構６とを具備してなり、外部からの操作力を受け付ける可動操作部３と、この可動操作部３に加えられる操作力により連動機構６による両リール４、５の連動状態を断続させる切換手段７とを備える構成とした。【選択図】図９
2014083777.tif 000002
【特許請求の範囲】
【請求項１】
転写ヘッドを保持してなるリールケースと、このリールケースに取替可能に装着される繰出リール及び巻取リールと、前記繰出リールに巻装され前記転写ヘッドを介して前記巻取リールに巻き取られる転写テープと、前記両リールを連動させるための連動機構とを具備してなり、前記繰出リール、前記巻取リール及び転写テープを前記リールケースに対して交換可能なリール交換式の転写具であって、
外部からの操作力を受け付ける可動操作部と、この可動操作部に加えられる操作力により前記連動機構による前記両リールの連動状態を断続させる切換手段とを具備してなることを特徴とする転写具。
【請求項２】
前記リールケースが、本体ケースに対して使用位置と非使用位置との間で移動可能なもので前記可動操作部を兼ねており、前記切換手段が、前記リールケースを使用位置に位置させた段階で前記連動機構による前記両リールの連動状態が確立し、非使用位置に移動させた場合にその連動状態が断たれるように構成されたものである請求項１記載の転写具。
【請求項３】
前記リールケースが、本体ケースにヒンジを介して前記使用位置と前記非使用位置との間で回動し得るように枢着されたものである請求項２記載の転写具。
【請求項４】
前記連動機構が、繰出リールとともに回転する繰出側ギアと前記巻取リールとともに回転する巻取側ギアとを備えたものであり、前記切換手段が前記繰出側ギア及び前記巻取側ギアの何れか一方を本体ケース側に設けるとともに他方をリールケース側に設けておき、リールケースを使用位置に操作した場合に前記繰出側ギアと前記巻取側ギアとが連動回転し得るように構成されたものである請求項２又は３記載の転写具。
【請求項５】
前記リールケースが、前記繰出リールを回転中心と略直交する方向から受け入れて枢支する繰出リール保持部と、前記巻取リールをその回転中心と略直交する方向であって前記繰出リール保持部の受入方向と相反する方向から受け入れて枢支する巻取リール保持部とを備えたものである請求項１、２、３又は４記載の転写具。
【請求項６】
前記繰出リール及び巻取リールを保持するリールケースが使用位置において本体ケースに収容されるものであって、
前記連動機構が、前記本体ケースの内面に突設された第一、第二の固定軸と、この第一の固定軸に回転可能に支持された繰出側ギアと、この繰出側ギアに軸心を一致させて前記固定軸に支持され前記使用位置において前記リールケースに保持された繰出リールの中心孔に一体回転可能に嵌合する軸部材と、この軸部材と前記繰出側ギアとの間に設けられ前記軸部材と前記繰出側ギアとの相対回転を許容するすべり機構と、前記第二の固定軸に回転可能に支持され前記繰出側ギアに噛合する中間ギアと、前記リールケースに保持された巻取リールの側端に設けられ前記使用位置において前記中間ギアに噛合する巻取側ギアとを備えたものである請求項１、２、３、４又は５記載の転写具。
【請求項７】
転写ヘッドを保持してなるリールケースと、このリールケースに取替可能に装着される繰出リール及び巻取リールと、前記繰出リールに巻装され前記転写ヘッドを介して前記巻取リールに巻き取られる転写テープとを具備してなり、前記繰出リール、前記巻取リール及び転写テープを前記リールケースに対して交換可能なリール交換式の転写具であって、
前記リールケースが、前記繰出リールを回転中心と略直交する方向から受け入れて枢支する繰出リール保持部と、前記巻取リールをその回転中心と略直交する方向であって前記繰出リール保持部の受入方向と相反する方向から受け入れて枢支する巻取リール保持部とを具備してなることを特徴とする転写具。
【発明の詳細な説明】
【技術分野】
【０００１】
本発明は、転写物を塗布するための転写具に関する。
【背景技術】
【０００２】
従来、この種の転写具として、本体ケースと本体カバーとによって形成される収容空間内に繰出リール、巻取リール及び転写テープを取替可能に保持させたリール交換式のものが知られている（例えば、特許文献１を参照）。このものは、繰出リールに巻装された転写テープが、転写ヘッドを介して巻取リールに巻き取られるようになっており、繰出リールと巻取リールとを連動させるための連動機構を具備している。
【０００３】
ところが、従来のものは、繰出リールと巻取リールの両方が連動機構により連動する状態で両リールを支持するようにしている。このため、例えば、転写テープの緩みや弛みを修正する必要がある場合には、一方のリールを回転しないように強く押さえた上で他方のリールを連動機構の滑り機能が発揮されるほどの大きなトルクで回転操作する必要があるため、不慣れな使用者が転写テープの緩みや弛みを修正するための操作を適切に行えないという不具合が生じていた。
【先行技術文献】
【特許文献】
【０００４】
【特許文献１】特開平９−２７２５号公報
【発明の概要】
【発明が解決しようとする課題】
【０００５】
本発明は、以上のような事情に着目してなされたもので、連動機構によって繰出リール及び巻取リールとの連動状態が維持されない状態で、両リールを支持可能にしたリール交換式の転写具を提供することにある。
【課題を解決するための手段】
【０００６】
すなわち、本発明の転写具は次の構成をなしている。
【０００７】
請求項１に記載の転写具は、転写ヘッドを保持してなるリールケースと、このリールケースに取替可能に装着される繰出リール及び巻取リールと、前記繰出リールに巻装され前記転写ヘッドを介して前記巻取リールに巻き取られる転写テープと、前記両リールを連動させるための連動機構とを具備してなり、前記繰出リール、前記巻取リール及び転写テープを前記リールケースに対して交換可能なリール交換式の転写具であって、外部からの操作力を受け付ける可動操作部と、この可動操作部に加えられる操作力により前記連動機構による前記両リールの連動状態を断続させる切換手段とを具備してなるものである。
【０００８】
ここで、「リール交換式」とは、巻取リール及び繰出リールをリフィルベースに回転可能に軸支させてなるカートリッジ自体を交換し得るようにしたいわゆる「カートリッジ交換式」とは異なったものであり、実質的に前記巻取リール、繰出リール及び転写テープのみを前記リールケースに対して交換し得るようにした方式を意味している。具体的には、巻取リール、繰出リール及び転写テープのみを前記リールケースに対して交換し得るようにしたものだけではなく、例えば、需要者等が両リールを前記リールケースに装着するまでの過程において、両リールの回転を抑制するべく付帯させた支持部品や梱包用の位置決め部品を付帯させたまま、あるいは、前記支持部品や位置決め部品を取り外しつつ両リールをリールケースに装着するようにしたもの等も、「リール交換式」に包括されるものである。
【０００９】
請求項２に記載の転写具は、請求項１に係る構成において、前記リールケースが、本体ケースに対して使用位置と非使用位置との間で移動可能なもので前記可動操作部を兼ねており、前記切換手段が、前記リールケースを使用位置に位置させた段階で前記連動機構による前記両リールの連動状態が確立し、非使用位置に移動させた場合にその連動状態が断たれるように構成されたものである。
【００１０】
請求項３に記載の転写具は、請求項２に係る構成において、前記リールケースが、本体ケースにヒンジを介して前記使用位置と前記非使用位置との間で回動し得るように枢着されたものである。
【００１１】
請求項４に記載の転写具は、請求項２又は３に係る構成において、前記連動機構が、繰出リールとともに回転する繰出側ギアと前記巻取リールとともに回転する巻取り側ギアとを備えたものであり、前記切換手段が前記繰出側ギア及び前記巻取り側ギアの何れか一方を本体ケース側に設けるとともに他方をリールケース側に設けておき、リールケースを使用位置に操作した場合に前記繰出側ギアと前記巻取り側ギアとが連動回転し得るように構成されたものである。
【００１２】
請求項５に記載の転写具は、請求項１、２、３又は４に係る構成において、前記リールケースが、前記繰出リールを回転中心と略直交する方向から受け入れて枢支する繰出リール保持部と、前記巻取リールをその回転中心と略直交する方向であって前記繰出リール保持部の受入方向と相反する方向から受け入れて枢支する巻取リール保持部とを備えたものである。
【００１３】
ここで、「相反する方向」とは、１８０°に限られるものではない。すなわち、「相反する方向」とは、受入方向と１８０°に相反する方向に限られず、１８０°と一致しない異なる方向を含んだ概念である。
【００１４】
請求項６に記載の転写具は、請求項１、２、３又は４に係る構成において、前記繰出リール及び巻取リールを保持するリールケースが使用位置において本体ケースに収容されるものであって、前記連動機構が、前記本体ケースの内面に突設された第一、第二の固定軸と、この第一の固定軸に回転可能に支持された繰出側のギアと、この繰出側のギアに軸心を一致させて前記固定軸に支持され前記使用位置において前記リールケースに保持された繰出リールの中心孔に一体回転可能に嵌合する軸部材と、この軸部材と前記繰出側ギアとの間に設けられ一定以上のトルクが作用した場合にのみ前記軸部材と繰出側ギアとの相対回転を許容するすべり機構と、前記第二の固定軸に回転可能に支持され前記繰出側のギアに噛合する中間ギアと、前記リールケースに保持された巻取リールの側端に設けられ前記使用位置において前記中間ギアに噛合する巻取り側のギアとを備えたものである。
【００１５】
請求項７に記載の転写具は、転写ヘッドを保持してなるリールケースと、このリールケースに取替可能に装着される繰出リール及び巻取リールと、前記繰出リールに巻装され前記転写ヘッドを介して前記巻取リールに巻き取られる転写テープとを具備してなり、前記繰出リール、前記巻取リール及び転写テープを前記リールケースに対して交換可能なリール交換式の転写具であって、前記リールケースが、前記繰出リールを回転中心と略直交する方向から受け入れて枢支する繰出リール保持部と、前記巻取リールをその回転中心と略直交する方向であって前記繰出リール保持部の受入方向と相反する方向から受け入れて枢支する巻取リール保持部とを備えてなるものである。
【００１６】
このようなものであれば、転写テープにねじれや捻りが生じるのを好適に抑制しつつ繰出リールと巻取リールとをリールケースに装着することができるものとなる。
【発明の効果】
【００１７】
以上説明したように本発明によれば、連動機構によって繰出リール及び巻取リールとの連動状態が維持されない状態で、両リールを支持可能にしたリール交換式の転写具を提供することができる。
【図面の簡単な説明】
【００１８】
【図１】本発明の一実施形態を示す斜視図。
【図２】同実施形態における本体カバーを外した状態の分解斜視図。
【図３】同実施形態における側面図。
【図４】同実施形態における本体カバーを除いた側面図。
【図５】図３におけるＡ−Ａ線断面図。
【図６】同実施形態を示す側面図。
【図７】図７におけるＢ−Ｂ線断面図。
【図８】リールケースに対する繰出リールと巻取リールの装着を説明するための説明図。
【図９】繰出リールと巻取リールが装着されたリールケースを本体ケースに装着する態様を説明するための説明図。
【発明を実施するための形態】
【００１９】
以下、本発明の一実施形態を、図１〜９を参照して説明する。
【００２０】
この実施形態は、本発明を、糊を転写するための転写具Ｔに適用したものである。この転写具Ｔは、用紙等の転写対象物（図示せず）に対して糊を転写するためのものであり、転写対象物に対する糊の塗布を簡便に行えるようにして貼り付け作業等の便宜に供するものである。なお、この転写具Ｔは、リール交換式のものであり、交換する部品点数の抑制に寄与するものである。
【００２１】
転写具Ｔは、本体ケース１と本体カバー２とによって形成される収容空間ｓ内にリールケース３を配し、そのリールケース３に繰出リール４、巻取リール５及び転写テープｐを取り替え可能に保持させたリール交換式のものである。
【００２２】
すなわち、この転写具Ｔは、収容空間ｓ内に、転写ヘッド３２を有するリールケース３の主要部と、このリールケース３に取替可能に装着される繰出リール４及び巻取リール５と、繰出リール４に巻装され転写ヘッド３２を介して巻取リール５に巻き取られる転写テープｐと、両リール４、５を連動させるための連動機構６とを収容してなる。そして、外部からの操作力を受け付ける可動操作部たるリールケース３と、このリールケース３に加えられる操作力により連動機構６による両リール４、５の連動状態を断続させる切換手段７とを具備している。
【００２３】
以下、転写具Ｔの各構成について詳述する。
【００２４】
本体ケース１は、側壁１１とこの側壁１１の周縁に形成した周壁１２を具備してなるもので、合成樹脂により一体に成形されている。本体ケース１の先端側には周壁１２を途切れさせることによって転写ヘッド３２を外部に突出させるための開口部１３が形成されている。本体ケース１の側壁１１の内面には第一、第二の固定軸１１１、１１２と、転写ヘッド３２の位置決め用のリブｒと、本体カバー２に突設された第三の固定軸２１１の先端を支持するとともに巻取リール５を回転可能に支持する突出部１１４とを備えている。本体ケース１の周壁１２には、本体カバー２の周壁２２に形成された取り付け用の係合部２２１と係わり合う被係合部１２１を複数箇所に設けている。更に、本体ケース１の周壁１２の前側には転写ヘッド３２を覆うためのキャップｃを支持するためのキャップ装着部１２２を備えるとともに周壁１２の後端側には、ヒンジｈを構成するべくリールケース３に設けられた片持ち軸ｊを回転可能に支持する軸受部１２３が設けられている。
【００２５】
本体カバー２は、側壁２１とこの側壁２１の周縁から本体ケース１側に延出させた周壁２２とを具備してなるもので、合成樹脂により一体に成形されている。本体カバー２の先端側には周壁を途切れさせることによって転写ヘッド３２を外部に突出させるための開口部２３が形成されている。本体カバー２の側壁２１の内面には第三の固定軸２１１と、第一の固定軸１１１の先端側を支持する支持用の突起２１２とを備えている。本体カバー２の周壁２２には、本体ケース１の周壁１２に設けられた被係合部１２１に対応する位置に、当該被係合部１２１に着脱可能に係合する係合部２２１を複数設けている。
【００２６】
リールケース３は、本体ケース１に対して使用位置（Ｕ）と非使用位置（Ｎ）との間で移動可能なもので可動操作部を兼ねているものであり、繰出リール４及び巻取リール５を保持するリールケース３が使用位置（Ｕ）において本体ケース１に収容されるものである。リールケース３は、本体ケース１にヒンジｈを介して使用位置（Ｕ）と非使用位置（Ｎ）との間で回動し得るように枢着されている。このヒンジｈは、リールケース３の基端に設けた対をなすアームｗ１とこれらアームｗ１から突設した対をなす片持ち軸ｊとこれら片持ち軸ｊを回転可能に支持する対をなす本体ケース１の軸受部１２３とから構成されている。
【００２７】
以下、本体ケース１に回転可能に支持されたリールケース３について詳述する。
【００２８】
リールケース３は、樹脂により形成されたもので、リールケース本体３１と、このリールケース本体３１の先端に保持された転写ヘッド３２とを備えている。
【００２９】
リールケース本体３１は、繰出リール４をその回転中心と略直交する方向から受け入れて枢支する繰出リール保持部ｋと、巻取リール５をその回転中心と略直交する方向であって繰出リール保持部ｋの受入方向ｄ１と相反する方向ｄ２から受け入れて枢支する巻取リール保持部ｍとを備えている。すなわち、繰出リール保持部ｋにおける繰出リール４の受入方向ｄ１は、巻取リール保持部ｍにおける巻取リール５の受入方向ｄ２と略相反するように設定されている。リールケース本体３１は、平行に配設した対をなす側板ｘ、ｙと、これら側板ｘ、ｙの先端部間を結合する結合杆ｖと側板ｘ、ｙの基端部側同士を結合する結合壁ｗとを具備してなるもので結合杆ｖに転写ヘッド３２を支持するためのヘッド支持板３２２が一体に設けられているとともに結合壁ｗにヒンジをｈ構成する対をなすアームｗ１が設けられている。また、一方の側板ｘの先端付近には使用位置（Ｕ）において本体ケース１の周壁１２内面に弾性係合するラッチ爪ｘ３が一体に設けられている。
【００３０】
繰出リール保持部ｋは、一方の側板ｘに設けられ繰出リール４の一側面に突設された大径軸４１を回転可能に支持する大径軸受孔ｘ１と他方の側板ｙに設けられ繰出リール４の他側面に突設された小径軸４２を回転可能に支持する小径軸受孔ｙ１とを備えたもので大径軸受孔ｘ１及び小径軸受孔ｙ１は対応する各側板ｘ、ｙに形成された曲線状の軸案内通路ｘ２、ｙ２を介して各側板ｘ、ｙの一側縁に開放されている。軸案内通路ｘ２、ｙ２は下方に向かうに連れて転写ヘッド３２側に向かって傾斜する傾斜縁部ｘ２１、ｙ２１を有しており、傾斜縁部ｘ２１、ｙ２１は繰出リール４を大径軸受孔ｘ１及び小径軸受孔ｙ１への装着を誘導し、繰出リール４の装着時に転写テープｐの弛みが発生することを抑制している。小径軸受孔ｙ１に連続する軸案内通路ｙ２には小径軸受孔ｙ１に案内された小径軸４２が脱落するのを防止するための弾性爪ｙ３が設けられている。この弾性爪ｙ３は小径軸受孔ｙ１に対して小径軸４２を挿脱する際に一時的に弾性変形してその通過を許容するものである。本実施形態では、繰出リール保持部ｋは、下方に開口する凹形状をなしており、側板ｘ、ｙの下から上に向かう方向を繰出リール４の受入方向ｄ１としている。
【００３１】
巻取リール保持部ｍは、一方の側板ｘに設けられ巻取リール５の一側面に突設された大径軸５１を回転可能に支持する大径軸受孔ｘ４と他方の側板ｘに設けられ巻取リール５の他側面に突設された小径軸５２を回転可能に支持する小径軸受孔ｙ４とを備えたもので大径軸受孔ｘ４及び小径軸受孔ｙ４は対応する各側板ｘ、ｙに形成された曲線状の軸案内通路ｘ５、ｙ５を介して各側板ｘ、ｙの他側縁に開放されている。軸案内通路ｘ５、ｙ５は上方に向かうに連れて転写ヘッド３２側に向かって傾斜する傾斜縁部ｘ５１、ｙ５１を有しており、傾斜縁部ｘ５１、ｙ５１は巻取リール５を大径軸受孔ｘ４及び小径軸受孔ｙ４への装着を誘導し、巻取リール５の装着時に転写テープｐの弛みが発生することを抑制している。小径軸受孔ｙ４には、巻取リール５の小径軸５２の外周に設けられた逆転防止用の爪車ｇに係わり合う逆転防止爪ｙ６が弾性変位可能に設けられている。また、小径軸受孔ｙ４に連続する軸案内通路ｙ５には小径軸受孔ｙ４に案内された小径軸５２が脱落するのを防止するための弾性爪ｙ７が設けられている。この弾性爪ｙ７は小径軸受孔ｙ４に対して小径軸５２を挿脱する際に一時的に弾性変形してその通過を許容するものである。本実施形態では、巻取リール保持部ｍは、上方に開口する凹形状をなしており、側板ｘ、ｙの上から下に向かう方向を巻取リール５の受入方向ｄ２としている。
【００３２】
これら繰出リール保持部ｋ及び巻取リール保持部ｍの存在に起因してリールケース本体３１全体は、側面視Ｓ字状をなしている。
【００３３】
転写ヘッド３２は、結合杆ｖから先方に延出させたヘッド支持板３２２に支持されたもので、先端に転写ローラ３２１を回転可能に設けてなるものである。
【００３４】
繰出リール４は、一側面に円環状をなす大径軸４１を設けるとともに他側面に円環状をなす小径軸４２を設けたもので、その中心に連動機構６と係わり合う中心孔４３が設けられている。中心孔４３の内周にはスプライン溝４３ａが設けられている。
【００３５】
巻取リール５は、一側面に円環状をなす大径軸５１を設けるとともに他側面に円環状をなす小径軸４２を設けたもので、その中心に第三の固定軸２１１に回転可能に嵌合する軸孔５３が形成されている。大径軸５１の先端には連動機構６をなす巻取側ギア１１６が一体に設けられている。小径軸５２の外周には前述した逆転防止用の爪車ｇが一体に形成されている。
【００３６】
転写テープｐは、フィルム状の基材の一面側に粘着剤を添付してなる通常のものである。
【００３７】
連動機構６は、繰出リール４とともに回転する繰出側ギア１１３と巻取リール５とともに回転する巻取側ギア１１６とを備えたものである。詳述すれば、この連動機構６は、本体ケース１の内面に突設された第一、第二の固定軸１１１、１１２と、この第一の固定軸１１１に回転可能に支持された繰出側ギア１１３と、この繰出側ギア１１３に軸心を一致させて第一の固定軸１１１に支持され使用位置（Ｕ）においてリールケース３に保持された繰出リール４の中心孔４３に一体回転可能に嵌合する軸部材１１４と、この軸部材１１４と繰出側ギア１１３との間に設けられ一定以上のトルクが作用した場合にのみ軸部材１１４と繰出側ギア１１３との相対回転を許容するすべり機構ＳＢと、第二の固定軸１１２に回転可能に支持され繰出側ギア１１３に噛合する中間ギア１１５と、リールケース３に保持された巻取リール５の側端に設けられ使用位置（Ｕ）において中間ギア１１５に噛合する巻取側ギア１１６とを備えたものである。
【００３８】
以下、連動機構６について詳述する。
【００３９】
第一の固定軸１１１は、基端部に羽根状をなす複数の軸支持部分１１１ａを形成してなるもので先端部に縮径方向の弾性変形を助長するためのスリット１１１ｂを有しておりその先端部外面に抜け止め用の係止爪１１１ｃを備えている。第二の固定軸１１２は、側板ｘから一体に突設された円柱状のもので、略全長に亘って縮径方向の弾性変形を助長するためのスリット１１２ａを有しておりその先端部外面に抜け止め用の係止爪１１２ｂを備えている。繰出側ギア１１３は、中心部に円筒状のボス部１１３ａを備えた平歯車タイプのもので、その一面にボス１１３ａを包囲する環状壁１１３ｂを突設しておりその環状壁１１３ｂの先端部内周に中心方向に突出する複数の抜け止め片１１３ｃを備えている。軸部材１１４は、繰出側ギア１１３とともに第一の固定軸１１１に支持される筒状のもので外周に繰出リール４のスプライン溝４３ａに嵌合する嵌合羽根１１４ａを有するとともに基端部に繰出側ギア１１３のボス部１１３ａ外周に密に嵌合する大径筒状部１１４ｂを備えている。大径筒状部１１４ｂの端部外周には抜け止め片１１３ｃに係わり合って繰出側ギア１１３からの離脱を防止するための抜け止め用の爪１１４ｃが設けられている。軸部材１１４と繰出側ギア１１３とは相互に組み付けた状態で第一の固定軸１１１に回転可能に装着されるものであり、装着状態においては第一の固定軸１１１の係止爪１１１ｃにより当該第一の固定軸１１１ｃからの抜出が防止されている。すべり機構ＳＢは、繰出側ギア１１３のボス部１１３ａに縮径方向への弾性変形を助長するためのスリットｓｌを複数本円周方向に間隔をあけて設けておき、そのボス部１１３ａの外周に軸部材１１４の大径筒状部１１４ｂをきつく嵌合させたものである。この嵌合度合いはボス部１１３ａ外周と大径筒状部１１４ｂとの摩擦により繰出側ギア１１３と軸部材１１４とが略一体に回転し、ゆるみが生じない程度に繰出側ギア１１３と軸部材１１４との間ですべりが発生するような値に設定されている。中間ギア１１５は、歯１１５ａを有する外周縁部分を傾斜させてなるものである。この中間ギア１１５は、第二の固定軸１１２に回転可能に装着されるものであり、装着状態においては、第二の固定軸１１２の係止爪１１２ｂにより当該第二の固定軸１１２からの抜出が防止されている。巻取側ギア１１６は、リールケース３を使用位置（Ｕ）に位置させた段階で中間ギア１１５と噛合し得るものであり、巻取リール５と一体に設けられている。巻取側ギア１１６の歯１１６ａは大径軸５１の先端に一体に設けられている。
【００４０】
切換手段７は、リールケース３を使用位置（Ｕ）に位置させた段階で連動機構６による繰出リール４及び巻取リール５の連動状態が確立し、非使用位置（Ｎ）に移動させた場合にその連動状態が断たれるように構成されたものである。より具体的に言えば、切換手段７は、繰出側ギア１１３を本体ケース１側に設けるとともに巻取側ギア１１６をリールケース３側に設けておき、リールケース３を使用位置（Ｕ）に操作した場合に繰出側ギア１１３と巻取側ギア１１６とが連動回転し得るように構成されている。すなわち、切換手段７は、中心孔４３に軸部材１１４と係わり合うスプライン溝４３ａを設けた繰出リール４及び巻取側ギア１１６を有する巻取リール５を保持したリールケース３と、このリールケース３を回転可能に支持しており繰出側ギア１１３及び軸部材１１４を第一の固定軸１１１に支持させるとともに繰出側ギア１１３と噛合する中間ギア１１５を第二の固定軸１１２に支持させた本体ケース１とを主体に構成されたものである。
【００４１】
続いて、本実施形態の転写具Ｔにおけるリールケース３に対して、転写テープｐを保持した繰出リール４及び巻取リール５を装着する態様について説明する。
【００４２】
まず、本体ケース１に枢着されたリールケース３を非使用位置（Ｎ）にセットする。すなわち、リールケース３が本体ケース１内に収容されない位置（Ｎ）に当該リールケース３を把持して回転操作する。例えば、本体ケース１とリールケース３とが互いに相反する方向を向くようにリールケース３を回動操作し、本体ケース１の外面側及びリールケース３の一方側（他方の側板ｙ）が天板等の載置面に添設し得るように配置する。
【００４３】
次いで、転写テープｐが巻回された繰出リール４と当該転写テープｐを巻取可能に保持した巻取リール５を準備する。例えば、両リール４、５をそれらの軸心を上下方向にして（小径軸４２、５２が載置面に添設するように）天板等の載置面に載置すれば、繰出リール４と巻取リール５はそれぞれ前述したリールケース３と略同一平面上に位置することになる。
【００４４】
しかる後に、繰出リール４をその回転中心と略直交する方向に移動させて、リールケース３の繰出リール保持部ｋに装着する。繰出リール４の大径軸４１及び小径軸５２は、リールケース３の一方及び他方の側板ｘ、ｙの軸案内通路ｘ２、ｙ２をそれぞれ通過し、大径軸受孔ｘ１及び小径軸受孔ｙ１に導かれる。小径軸受孔ｙ１に導かれた小径軸４２は、リースケース３の側板ｙに形成された弾性爪ｙ３により抜け止めされる。以上により、繰出リール４がリールケース３の繰出リール保持部ｋに装着される。
【００４５】
そして、巻取リール５を転写ヘッド３２の前方を通過させるとともに繰出リール保持部ｋと相反する方向に開放された巻取リール保持部ｍ側に移動させる。このように巻取リール５を移動させることによって装着時における転写テープｐに捻りが生じることを回避することができる。
【００４６】
これに続いて、巻取リール５を、繰出リール保持部ｋの受入方向ｄ１と略相反する方向ｄ２であってその巻取リール５の回転中心と略直交する方向に移動させて巻取リール保持部ｍに装着する。巻取リール５の大径軸５１及び小径軸５２は、リールケース３の一方及び他方の側板ｘ、ｙの軸案内通路ｘ５、ｙ５をそれぞれ通過し、大径軸受孔ｘ４及び小径軸受孔ｙ４に導かれる。小径軸受孔ｙ４に導かれた小径軸５２は、リールケース３の側板ｙに形成された弾性爪ｙ７により抜け止めされるとともに逆転防止爪ｙ６と係わり合うことにより逆転が規制される。
【００４７】
以上により、リールケース３に対して転写テープｐを保持した繰出リール４及び巻取リール５が装着される。この段階では、転写テープｐを保持した繰出リール４及び巻取リール５は連動機構６による連動状態が維持されていない状態にあるため、巻取リール４や繰出リール５を指で適宜回転させることにより転写テープｐの緩みや弛みを簡単に取り除くことができる。しかも、リールケース３には、繰出リール４及び巻取リール５の抜け止めを抑制するための弾性爪ｙ３、ｙ７を設けているため、リールケース３を立てた状態すなわちリールケース３の側板ｘ、ｙを繰出リール４及び巻取リール５の左右に位置づけるようにしても、リールケース３から繰出リール４又は巻取リール５が自重で落下しないようになっている。
【００４８】
次いで、転写テープｐを保持した繰出リール４及び巻取リール５がそれぞれ装着されているリールケース３を、本体ケース１に対して装着する態様について説明する。
【００４９】
繰出リール４及び巻取リール５が装着されたリールケース３を回動操作することにより本体ケース１に取り付ける。すなわち、本実施形態では、使用者の手による操作力を受け付ける可動操作部たるリールケース３をヒンジｈを介して回動操作し、リールケース３を本体ケース１内に収容される位置、すなわち、本体ケース１の周壁１２間に取り付ける。
【００５０】
リールケース３を本体ケース１の周壁１２間に位置するまで移動させると、繰出リール４のスプライン溝４３ａと本体ケース１に保持された軸部材１１４とが係合するとともに、巻取リール５に一体に形成された巻取側ギア１１６と本体ケース１に保持された中間ギア１１５とが噛合し、連動機構６による繰出リール４及び巻取リール５の連動状態が成立していない状態から連動機構６による繰出リール４及び巻取リール５の連動状態が確立する状態に切り換わる。さらに、リールケース３の側板ｘの周縁部に設けられたラッチ爪ｘ３が、本体ケース１の周壁１２内面に弾性係合し、リールケース３が本体ケース１に位置決めされた状態で安定的に支持される。
【００５１】
以上説明したように、本実施形態に係る転写具Ｔは、転写ヘッド３２を保持してなるリールケース３と、このリールケース３に取替可能に装着される繰出リール４及び巻取リール５と、繰出リール４に巻装され転写ヘッド３２を介して巻取リール５に巻き取られる転写テープｐと、両リール４、５を連動させるための連動機構６とを具備してなり、繰出リール４、巻取リール５及び転写テープｐをリールケース３に対して交換可能なリール交換式のものである。そして、外部からの操作力を受け付ける可動操作部であるリールケース３と、このリールケース３に加えられる操作力により連動機構６による両リール４、５の連動状態を断続させる切換手段７とを具備してなる。このため、連動機構６によって繰出リール４及び巻取リール５との連動状態が断たれている態様で、両リール４、５を支持可能にしたリール交換式の転写具Ｔを提供することができる。したがって、両リール４、５の連動状態が断たれている状態の繰出リール４及び巻取リール５を回転操作することにより、転写テープｐの緩みや弛みの修正を容易に行うことができるものとなっている。
【００５２】
特に、本実施形態のものは、一方及び他方の側板ｘ、ｙを備えたリールケース３によって繰出リール４及び巻取リール５を支持するようにしており、このリールケース３に繰出リール４及び巻取リール５の軸（小径軸）４２、５２を支持するための弾性爪ｙ３、ｙ７を備えているとともに巻取リール５の逆転を防止するための逆転防止爪ｙ６を備えているため、連動機構６による連動状態が維持されていない状態であっても両リール３、４が安定的にリールケース３に支持されるものとなり転写テープｐの緩みや弛みの修正を適切に行うことができるようになっている。
【００５３】
リールケース３が、本体ケース１に対して使用位置（Ｕ）と非使用位置（Ｎ）との間で移動可能なもので可動操作部を兼ねており、切換手段７が、リールケース３を使用位置（Ｕ）に位置させた段階で連動機構６による両リール４、５の連動状態が確立し、非使用位置（Ｎ）に移動させた場合にその連動状態が断たれるように構成されたものであるため、リールケース３を移動させるという簡明な操作によって、比較的容易に繰出リール４と巻取リール５との連動状態と非連動状態とを切換操作することができる。
【００５４】
リールケース３が、本体ケース１にヒンジｈを介して使用位置（Ｕ）と非使用位置（Ｎ）との間で回動し得るように枢着されたものであるため、リールケース３を紛失しにくくなり好適である。しかも、リールケース３を使用位置（Ｕ）に配置するための操作をヒンジｈを介して回動操作すれば良いので、所定の位置に適切に配するための操作を容易に実現することができるものとなる。
【００５５】
連動機構６が、繰出リール４とともに回転する繰出側ギア１１３と巻取リール５とともに回転する巻取側ギア１１６とを備えたものであり、切換手段７が繰出側ギア１１３を本体ケース１側に設けるとともに巻取側ギア１１６をリールケース３側に設けておき、リールケース３を使用位置（Ｕ）に操作した場合に繰出側ギア１１３と巻取側ギア１１６とが連動回転し得るように構成されたものである。このため、リールケース３を使用位置（Ｕ）に配するための操作を行うことによってギアを主体に構成した連動機構６の連動回転を実現することができるとともにリールケース３を非使用位置（Ｎ）に移動するための操作を行うことによって連動機構６の連動回転ができない状態を実現することができるようになっている。
【００５６】
リールケース３が、繰出リール４を回転中心と略直交する方向から受け入れて枢支する繰出リール保持部ｋと、巻取リール５をその回転中心と略直交する方向であって繰出リール保持部ｋの受入方向ｄ１と相反する方向ｄ２から受け入れて枢支する巻取リール保持部ｍとを備えている。このため、リール交換式の転写具Ｔにおいて、転写テープｐを保持した繰出リール４及び巻取リール５を装着する際の緩みや弛みの発生等のミスを好適に抑制するとともに、使用時における転写テープｐの緩みや弛みの修正を容易に行うことができるものとなる。より詳述すれば、従来のリール交換式の転写具は、繰出リールと巻取リールをそれらの軸方向に移動させることにより本体に装着するものであったため、その装着過程において転写テープに緩みや弛みの要因となる捻りが不可避的に生じるものであったが、本実施形態に示すものにおいては、装着過程において転写テープｐに捻りを殆ど生じさせることなく使用可能な状態にすることができるものとなっている。
【００５７】
繰出リール４及び巻取リール５を保持するリールケース３が使用位置（Ｕ）において本体ケース１に収容されるものであって、連動機構６が、本体ケース１の内面に突設された第一、第二の固定軸１１１、１１２と、この第一の固定軸１１１に回転可能に支持された繰出側ギア１１３と、この繰出側ギア１１３に軸心を一致させて第一の固定軸１１１に支持され使用位置（Ｕ）においてリールケース３に保持された繰出リール４の中心孔４３に一体回転可能に嵌合する軸部材１１４と、この軸部材１１４と繰出側ギア１１３との間に設けられ一定以上のトルクが作用した場合に軸部材１１４と繰出側ギア１１３との相対回転を許容するすべり機構ＳＢと、第二の固定軸１１２に回転可能に支持され繰出側ギア１１３に噛合する中間ギア１１５と、リールケース３に保持された巻取リール５の側端に設けられ使用位置（Ｕ）において中間ギア１１５に噛合する巻取側ギア１１６とを備えている。このため、連動機構６が使用位置（Ｕ）において、リールケース３に保持された繰出リール４とケース本体１に保持された軸部材１１４とが係わり合うとともに、リールケース３に保持された巻取側ギア１１６とケース本体１に保持された中間ギア１１５とが係わり合うようにしたテープ交換式の転写具Ｔを実現するものとなる。
【００５８】
なお、本発明は、以上に詳述した実施形態に限られるものではない。
【００５９】
転写テープは、糊等の粘着剤以外にも例えば修正テープを保持するものであっても良いのはもちろんのことである。
【００６０】
上述した実施形態では本体カバーを有していたが、本体カバーを有していなくても良い。例えば、リールケースが本体カバーを兼ねるようにして転写具を構成しても良い。
【００６１】
連動機構は、種々のものがあり、本実施形態に示されるものに限定されるものでは無い。例えば、中間ギアを複数設けても良いし、中間ギアの無い連動機構としてもよい。また、本実施形態では、ギアを主体とした連動機構を構成していたが動力を伝達する手段としてベルトを用いたものとしても良い。
【００６２】
可動操作部や切換手段は本実施形態に限定されるものではない。すなわち、可動操作部は外部からの操作力を受け付けるものであれば良く、切換手段は可動操作部に加えられる操作力により連動機構による繰出リール及び巻取リールの連動状態を断続させることができるものであればよい。例えば、可動操作部を本体ケースに対して突没可能なボタン操作部とし、切換手段を前記ボタン操作部を突没操作することにより連動機構を構成するギアの一部（例えば、中間ギア）を噛合状態から非噛合状態に切換えることにより繰出リール及び巻取リールの連動状態を断続させるようにしても良い。
【００６３】
リールケースは、必ずしも、本体ケースにヒンジを介して接続している必要は無く、分離したものであっても良い。
【００６４】
本体カバーは、本体ケースに対して回動可能に支持されているものであっても良い。
【００６５】
その他、各部の具体的構成についても上記実施形態に限られるものではなく、本発明の趣旨を逸脱しない範囲で種々変形が可能である。
【符号の説明】
【００６６】
１…本体ケース
２…本体カバー
３…リールケース
４…繰出リール
５…巻取リール
６…連動機構
７…切換手段
３２…転写ヘッド
ｈ…ヒンジ
ｐ…転写テープ
（Ｕ）…使用位置
（Ｎ）…非使用位置
Ｔ…転写具
【図１】
2014083777.tif 000003
【図２】
2014083777.tif 000004
【図３】
2014083777.tif 000005
【図４】
2014083777.tif 000006
【図５】
2014083777.tif 000007
【図６】
2014083777.tif 000008
【図７】
2014083777.tif 000009
【図８】
2014083777.tif 000010
【図９】
2014083777.tif 000011